(57)【特許請求の範囲】
【請求項１】
表示部に表示されているスクロール表示用のスクロールバーに対するポインティング操作が可能なポインティング操作部と、前記ポインティング操作に応じて前記表示部に信号波形をスクロール表示させるスクロール処理を実行する表示制御部とを備えた波形表示装置であって、
前記表示制御部は、前記スクロールバー内における第１位置から第２位置までへの当該スクロールバーの長さ方向に沿ったドラッグ操作が前記ポインティング操作として行われ、続いて当該第２位置において押圧操作が前記ポインティング操作として継続して行われたときに、前記押圧操作が行われている間だけ前記スクロール処理を実行し、当該押圧操作が終了したときに当該スクロール処理を停止し、前記ポインティング操作としての前記第１位置から前記第２位置までへのドラッグ操作に続いて前記ポインティング操作としての当該第２位置から前記スクロールバー外における任意の第３位置までへのドラッグ操作が行われた後に、当該第３位置において押圧操作が終了したときには、前記スクロール処理を継続して実行し、当該スクロール処理を継続している状態で前記表示部における任意の位置において押圧操作が行われたときには、当該スクロール処理を停止する波形表示装置。
【請求項２】
前記表示制御部は、前記ドラッグ操作が行われたときに、前記第１位置から前記第２位置に向かう向きに対して予め対応付けられているスクロールの向きで前記スクロール処理を実行する請求項１記載の波形表示装置。
【請求項３】
前記表示制御部は、前記第１位置から前記第２位置までへの前記ドラッグ操作における前記スクロールバーの長さ方向に沿った当該第１位置から当該第２位置までの長さに対して予め対応付けられているスクロールの速度で前記スクロール処理を実行する請求項１または２記載の波形表示装置。
【請求項４】
前記表示制御部は、前記表示部に表示させている前記信号波形が当該信号波形の全体におけるどの部分に相当するかを示すスクロールボックスを前記スクロールバー内に表示させ、前記スクロール処理において前記信号波形のスクロール表示に連動させて前記スクロールボックスを当該スクロールバー内においてスライド表示させる請求項１から３のいずれかに記載の波形表示装置。
【請求項５】
前記ポインティング操作部は、前記表示部の表示面に配設された光透過性を有するタッチパネルを備えて構成されている請求項１から４のいずれかに記載の波形表示装置。
【請求項６】
表示部に表示されているスクロール表示用のスクロールバーに対するポインティング操作に応じて当該表示部に信号波形をスクロール表示させるスクロール処理を実行する波形表示方法であって、
前記スクロールバー内における第１位置から第２位置までへの当該スクロールバーの長さ方向に沿ったドラッグ操作が前記ポインティング操作として行われ、続いて当該第２位置において押圧操作が前記ポインティング操作として継続して行われたときに、前記押圧操作が行われている間だけ前記スクロール処理を実行し、当該押圧操作が終了したときに当該スクロール処理を停止し、前記ポインティング操作としての前記第１位置から前記第２位置までへのドラッグ操作に続いて前記ポインティング操作としての当該第２位置から前記スクロールバー外における任意の第３位置までへのドラッグ操作が行われた後に、当該第３位置において押圧操作が終了したときには、前記スクロール処理を継続して実行し、当該スクロール処理を継続している状態で前記表示部における任意の位置において押圧操作が行われたときには、当該スクロール処理を停止する波形表示方法。
【発明の詳細な説明】
【技術分野】
【０００１】
本発明は、表示部に信号波形をスクロール表示させる波形表示装置および波形表示方法に関するものである。
【背景技術】
【０００２】
この種の波形表示装置として、特開２００７−１８７６１０号公報において出願人が開示した波形表示装置が知られている。この波形表示装置は、表示制御部、操作部および表示部などを備えて、信号波形を表示部に表示可能に構成されている。また、この波形表示装置では、表示制御部が、スクロールバーおよびスクロールボックスを表示部の表示画面に表示させると共に、操作部の操作によって表示画面内を移動可能なポインタを表示させる。また、表示制御部は、ポインタをスクロールボックス上に移動させてドラッグしたときに、信号波形をスクロール表示させる。
【先行技術文献】
【特許文献】
【０００３】
【特許文献１】特開２００７−１８７６１０号公報  （第６頁、第１−２図）
【発明の概要】
【発明が解決しようとする課題】
【０００４】
ところが、上記の波形表示装置には、改善すべき以下の課題がある。すなわち、上記の波形表示装置では、スクロールバー内のスクロールボックスをドラッグすることによって信号波形をスクロール表示させる。この場合、スクロールバーの長さは、信号波形の全体の長さ（時間長）に相当する。このため、信号波形の全体の長さが長く、スクロール表示の際に表示画面内に表示させる信号波形の長さ（一画面分の信号波形の時間長）が全体の長さに比べて短いときには、スクロールボックスを僅かにドラッグさせただけで信号波形が大きくスクロール表示されることとなる。このため、上記の波形表示装置には、信号波形をスクロール表示させることによって信号波形の全体の中から、所望の部分を探すような使用形態において、操作性がやや悪いことがあり、この点の改善が望まれている。
【０００５】
本発明は、かかる改善すべき課題に鑑みてなされたものであり、スクロールバーに対するポインティング操作によって信号波形をスクロール表示させる際の操作性を向上し得る波形表示装置および波形表示方法を提供することを主目的とする。
【課題を解決するための手段】
【０００６】
上記目的を達成すべく請求項１記載の波形表示装置は、表示部に表示されているスクロール表示用のスクロールバーに対するポインティング操作が可能なポインティング操作部と、前記ポインティング操作に応じて前記表示部に信号波形をスクロール表示させるスクロール処理を実行する表示制御部とを備えた波形表示装置であって、前記表示制御部は、前記スクロールバー内における第１位置から第２位置までへの当該スクロールバーの長さ方向に沿ったドラッグ操作が前記ポインティング操作として行われ、続いて当該第２位置において押圧操作が前記ポインティング操作として継続して行われたときに、前記押圧操作が行われている間だけ前記スクロール処理を実行し、当該押圧操作が終了したときに当該スクロール処理を停止し、前記ポインティング操作としての前記第１位置から前記第２位置までへのドラッグ操作に続いて前記ポインティング操作としての当該第２位置から前記スクロールバー外における任意の第３位置までへのドラッグ操作が行われた後に、当該第３位置において押圧操作が終了したときには、前記スクロール処理を継続して実行し、当該スクロール処理を継続している状態で前記表示部における任意の位置において押圧操作が行われたときには、当該スクロール処理を停止する。
【０００８】
また、請求項２記載の波形表示装置は、請求項１記載の波形表示装置において、前記表示制御部は、前記ドラッグ操作が行われたときに、前記第１位置から前記第２位置に向かう向きに対して予め対応付けられているスクロールの向きで前記スクロール処理を実行する。
【０００９】
また、請求項３記載の波形表示装置は、請求項１または２記載の波形表示装置において、前記表示制御部は、前記第１位置から前記第２位置までへの前記ドラッグ操作における前記スクロールバーの長さ方向に沿った当該第１位置から当該第２位置までの長さに対して予め対応付けられているスクロールの速度で前記スクロール処理を実行する。
【００１０】
また、請求項４記載の波形表示装置は、請求項１から３のいずれかに記載の波形表示装置において、前記表示制御部は、前記表示部に表示させている前記信号波形が当該信号波形の全体におけるどの部分に相当するかを示すスクロールボックスを前記スクロールバー内に表示させ、前記スクロール処理において前記信号波形のスクロール表示に連動させて前記スクロールボックスを当該スクロールバー内においてスライド表示させる。
【００１１】
また、請求項５記載の波形表示装置は、請求項１から４のいずれかに記載の波形表示装置において、前記ポインティング操作部は、前記表示部の表示面に配設された光透過性を有するタッチパネルを備えて構成されている。
【００１２】
また、請求項６記載の波形表示方法は、表示部に表示されているスクロール表示用のスクロールバーに対するポインティング操作に応じて当該表示部に信号波形をスクロール表示させるスクロール処理を実行する波形表示方法であって、前記スクロールバー内における第１位置から第２位置までへの当該スクロールバーの長さ方向に沿ったドラッグ操作が前記ポインティング操作として行われ、続いて当該第２位置において押圧操作が前記ポインティング操作として継続して行われたときに、前記押圧操作が行われている間だけ前記スクロール処理を実行し、当該押圧操作が終了したときに当該スクロール処理を停止し、前記ポインティング操作としての前記第１位置から前記第２位置までへのドラッグ操作に続いて前記ポインティング操作としての当該第２位置から前記スクロールバー外における任意の第３位置までへのドラッグ操作が行われた後に、当該第３位置において押圧操作が終了したときには、前記スクロール処理を継続して実行し、当該スクロール処理を継続している状態で前記表示部における任意の位置において押圧操作が行われたときには、当該スクロール処理を停止する。
【発明の効果】
【００１３】
請求項１記載の波形表示装置、および請求項６記載の波形表示方法では、スクロールバー内における第１位置から第２位置までへのスクロールバーの長さ方向に沿ったドラッグ操作がポインティング操作として行われ、続いて第２位置において押圧操作がポインティング操作として継続して行われたときに、その押圧操作が行われている間だけスクロール処理を実行し、押圧操作が終了したときにスクロール処理を停止する。このため、この波形表示装置および波形表示方法では、表示部の表示画面内に表示させる信号波形の長さ（一画面分の信号波形の時間長）が信号波形の全体の長さ（時間長）に比べて短く、スクロールボックスを僅かにドラッグさせただけで信号波形が大きくスクロール表示される従来の波形表示装置とは異なり、スクロールバー内でスクロールボックスを継続してドラッグさせることなく、第２位置における押圧操作を継続させるだけで、その押圧操作を継続している間だけスクロール表示を継続させることができる。したがって、この波形表示装置および波形表示方法によれば、スクロールバーに対するポインティング操作によって部分信号波形をスクロール表示させて、時間長が長い信号波形の中から、所望の部分を探すような使用形態における操作性を十分に向上させることができる。
【００１４】
また、この波形表示装置および波形表示方法では、ポインティング操作としての第１位置から第２位置までへのドラッグ操作に続いて、ポインティング操作としての第２位置からスクロールバー外における任意の第３位置までへのドラッグ操作が行われた後に、第３位置において押圧操作が終了したときには、スクロール処理を継続して実行する。したがって、この波形表示装置では、操作部に対する操作を行うことなく、スクロール表示を継続させることができるため、例えば、信号波形をスクロール表示させつつその信号波形を観察する際に、両手を自由に使える状態となる結果、このような使用形態における利便性を十分に向上させることができる。また、スクロール処理を継続している状態で表示部における任意の位置において押圧操作が行われたときにはスクロール処理を停止する。したがって、この波形表示装置では、必ずしもスクロールバー内で押圧操作を行う必要がないため、確実かつ容易にスクロール表示を停止させることができる。
【００１５】
また、請求項２記載の波形表示装置によれば、ドラッグ操作が行われたときに、第１位置から第２位置に向かう向きに対して予め対応付けられているスクロールの向きでスクロール処理を実行することにより、第１位置から第２位置に向かう向きを変更してドラッグ操作を行うだけで、時間が経過する向き、および時間が遡る向きのいずれの向きにも信号波形をスクロール表示させることができる結果、信号波形の中の所望の部分を探し出す際の操作性をさらに向上させることができる。
【００１６】
また、請求項３記載の波形表示装置では、第１位置から第２位置までへのドラッグ操作におけるスクロールバーの長さ方向に沿った第１位置から第２位置までの長さに対して予め対応付けられているスクロールの速度でスクロール処理を実行する。このため、この波形表示装置によれば、例えば、上記の長さが長ければ長いほどスクロールの速度として速い速度を対応付け、上記の長さが短ければ短いほどスクロールの速度として遅い速度を対応付けたときには、信号波形のスクロール表示を行わせて、長時間に亘る信号波形の中の所望の部分を探し出す際に、第１位置から第２位置までの長さが長くなるようにドラッグ操作を行って信号波形を高速でスクロール表示させることで、その所望の部分を素早く探し出すことができる。また、スクロール表示を行わせつつ信号波形を観察する際には、第１位置から第２位置までの長さが短くなるようにドラッグ操作を行って信号波形を低速でスクロール表示させることで、信号波形の細部まで詳細に観察することができる。したがって、この波形表示装置によれば、このような使用形態における利便性を十分に向上させることができる。
【００１７】
また、請求項４記載の波形表示装置によれば、表示部に表示させている信号波形が信号波形の全体におけるどの部分に相当するかを示すスクロールボックスをスクロールバー内に表示させ、スクロール処理において信号波形のスクロール表示に連動させてスクロールボックスをスクロールバー内においてスライド表示させることにより、信号波形の中のどの部分が表示されているかを一目で認識することができるため、信号波形の中の所望の部分を探す際の利便性を十分に向上させることができる。
【００１８】
また、請求項５記載の波形表示装置によれば、表示部の表示面に配設された光透過性を有するタッチパネルを備えてポインティング操作部を構成したことにより、タッチパネルにおけるスクロールバーの画像に対向する部分に対する指先やタッチペンによるタッチ操作によってポインティング操作を行うことができるため、操作性をさらに向上させることができる。
【図面の簡単な説明】
【００１９】
【図１】波形表示装置１の正面図である。
【図２】波形表示装置１の構成を示す構成図である。
【図３】部分信号波形Ｗ２、スクロールバーＢａおよびスクロールボックスＢｂの表示画面図である。
【図４】波形表示方法を説明する第１の説明図である。
【図５】波形表示方法を説明する第２の説明図である。
【図６】波形表示方法を説明する第３の説明図である。
【図７】波形表示方法を説明する第４の説明図である。
【図８】波形表示方法を説明する第５の説明図である。
【発明を実施するための形態】
【００２０】
以下、波形表示装置および波形表示方法の実施の形態について、添付図面を参照して説明する。
【００２１】
最初に、波形表示装置１の構成について、図面を参照して説明する。図１に示す波形表示装置１は、同図および図２に示すように、信号処理部１１、記録部１２、表示部１３、操作部１４および制御部１５を備え、入力した電気信号Ｓｅ（一例として、電圧信号）の全体信号波形Ｗ１（図１参照）および部分信号波形Ｗ２（図３参照：以下、全体信号波形Ｗ１および部分信号波形Ｗ２を区別しないときには「信号波形Ｗ」ともいう）を表示可能に構成されている。
【００２２】
信号処理部１１は、制御部１５の制御に従い、電気信号Ｓｅを入力して信号処理（サンプリング処理）を行い、波形データＤｗを出力する。記録部１２は、制御部１５の制御に従い、信号処理部１１から出力された波形データＤｗを記録する。表示部１３は、一例として、液晶パネルで構成されて、制御部１５の制御に従い、電気信号Ｓｅの信号波形Ｗ、スクロール表示用のスクロールバーＢａ（図３参照）、およびスクロールボックスＢｂ（同図参照）を表示する。
【００２３】
操作部１４は、図１に示すように、電源スイッチ２１、モード切替えキー２２、記録開始キー２３、記録終了キー２４、波形表示キー２５、全体波形表示キー２６、部分波形表示キー２７、およびタッチパネル２８を備えて構成され、これらに対する操作が行われたときに操作信号Ｓｏ（図２参照）を出力する。この場合、タッチパネル２８は、透明電極を備えて構成され、図１に示すように、表示部１３の表示面（表面）に配設されている。このタッチパネル２８は、ポインティング操作部として機能し、操作面（表面）に対する指先５０（図４参照）や図外のタッチペンによるタッチ操作（押圧操作）によってポインティング操作（後述するドラッグ操作や押圧操作）を行うことが可能となっている。
【００２４】
制御部１５は、操作部１４から出力される操作信号Ｓｏに従って波形表示装置１を構成する各部に対する制御や、各種の処理を実行する。具体的には、制御部１５は、信号処理部１１による信号処理を制御すると共に、記録部１２への波形データＤｗの記録や、記録部１２からの波形データＤｗの読み出しを行う。
【００２５】
また、制御部１５は、表示制御部として機能し、後述する全波形表示処理および部分波形表示処理を実行して表示部１３を制御し、全体信号波形Ｗ１および部分信号波形Ｗ２の表示および表示停止を制御する。この場合、制御部１５は、部分波形表示処理において（部分信号波形Ｗ２を表示させる際に）、スクロールバーＢａおよびスクロールボックスＢｂを表示部１３に表示させる。また、制御部１５は、部分波形表示処理において、スクロールバーＢａに対するポインティング操作に応じて部分信号波形Ｗ２をスクロール表示させるスクロール処理を実行する。
【００２６】
次に、波形表示装置１を用いて電気信号Ｓｅの信号波形Ｗを表示させる波形表示方法、およびその際の波形表示装置１の動作について、図面を参照して説明する。
【００２７】
まず、操作部１４のモード切替えキー２２（図１参照）を操作して、波形表示装置１を記録モードに切り替えた後に、操作部１４の記録開始キー２３（同図参照）を操作する。この際に、制御部１５が、操作部１４から出力された操作信号Ｓｏに従って信号処理部１１を制御し、信号処理部１１が、制御部１５の制御に従い、電気信号Ｓｅ（一例として、電圧信号）を信号処理して生成した波形データＤｗを出力する。
【００２８】
次いで、制御部１５は、信号処理部１１から出力された波形データＤｗを記録部１２に記録させる。続いて、電気信号Ｓｅの記録を終了する際には、操作部１４の記録終了キー２４を操作する。これに応じて、制御部１５は、信号処理部１１を制御して信号処理を停止させると共に、記録部１２を制御して波形データＤｗの記録を終了させる。
【００２９】
次に、記録部１２に記録した波形データＤｗに基づく電気信号Ｓｅの信号波形Ｗを表示させる。具体的には、操作部１４のモード切替えキー２２（図１参照）を操作して、波形表示装置１を波形表示モードに切り替える。次いで、例えば、記録開始時点から記録終了時点までに亘る電気信号Ｓｅの全体信号波形Ｗ１を表示させる際には、操作部１４の全体波形表示キー２６（同図参照）を操作する。この際に、制御部１５は、操作部１４から出力された操作信号Ｓｏに従って全波形表示処理を実行する。この全波形表示処理では、制御部１５は、記録部１２から波形データＤｗを読み出す。続いて、制御部１５は、表示部１３を制御して、同図に示すように、波形データＤｗに基づく全体信号波形Ｗ１を表示させる。
【００３０】
次いで、全体信号波形Ｗ１の一部を拡大した部分信号波形Ｗ２を表示させる際には、操作部１４の部分波形表示キー２７（図１参照）を操作する。この際に、制御部１５は、操作部１４から出力された操作信号Ｓｏに従って部分波形表示処理を実行する。この部分波形表示処理では、制御部１５は、表示部１３を制御して、図３に示すように、記録開始時点から予め決められた時間分の波形データＤｗに基づく部分信号波形Ｗ２を表示させる。また、制御部１５は、部分波形表示処理において、同図に示すように、スクロールバーＢａを表示させると共に、スクロールバーＢａ内にスクロールボックスＢｂを表示させる。
【００３１】
次に、スクロールバーＢａに対するポインティング操作によって表示部１３の横方向（時間軸）に沿った部分信号波形Ｗ２のスクロール表示を行わせる方法について説明する。なお、指先５０でのポインティング操作は、実際には、タッチパネル２８の操作面（表示部１３に表示されている画像内の各位置に対向する操作面上の各位置）に対して行うが、発明の理解を容易とするため、以下の説明においては、この点の記載を省略する。
【００３２】
この方法でスクロール表示を行わせるには、図４に示すように、表示部１３に表示されているスクロールバーＢａ内の任意の第１位置（一例として、同図に示す第１位置Ｐｆ１）を指先５０で押圧（接触）する。次いで、図５に示すように、指先５０で押圧した状態を維持しつつ、第１位置Ｐｆ１からスクロールバーＢａ内の任意の第２位置（一例として、同図に示すように、第１位置Ｐｆ１の右側に位置する第２位置Ｐｓ１）位置までへのスクロールバーＢａの長さ方向に沿ったドラッグ操作を行う。続いて、第２位置Ｐｓ１において指先５０での押圧操作を継続して行う。つまり、ドラッグ操作によって第２位置Ｐｓ１に移動させた指先５０をタッチパネル２８から離反させることなく押圧した状態を維持する。
【００３３】
操作部１４は、上記した各操作が行われたときに、指先５０の位置や移動軌跡を特定可能な操作信号Ｓｏを出力する。また、制御部１５は、操作部１４から出力される操作信号Ｓｏに基づいて指先５０の位置や移動軌跡を特定し、その位置や移動軌跡に基づいてどのようなポインティング操作が行われたかを特定し、さらに、そのポインティング操作に対応付けられた指示内容を特定する。
【００３４】
ここで、制御部１５は、スクロールバーＢａ内の第１位置Ｐｆ１からスクロールバーＢａ内の第２位置Ｐｓ１までへのスクロールバーＢａの長さ方向に沿ったドラッグ操作がポインティング操作として行われ、続いて第２位置Ｐｓ１において押圧操作がポインティング操作として継続して行われたことを特定したときには、これに基づいて部分信号波形Ｗ２をスクロール表示させる旨の指示内容（スクロール処理を実行する指示内容）を特定する。また、制御部１５は、第１位置Ｐｆ１から第２位置Ｐｓ１に向かう向きを特定して、この向きに対して予め対応付けられているスクロールの向き（スクロール処理において部分信号波形Ｗ２をスクロール表示させる際のスクロールの向き）を特定する。この波形表示装置１では、一例として、図５に示すように、第１位置Ｐｆ１から第２位置Ｐｓ１に向かう矢印Ａの向き（スクロールバーＢａにおける左端部側から右端部側に向かう向き）に対して、部分信号波形Ｗ２をスクロール表示させる際のスクロールの向きとして矢印Ｂの向き（表示部１３における左端部側から右端部側に向かう向き）が対応付けられている。
【００３５】
また、制御部１５は、第１位置Ｐｆ１から第２位置Ｐｓ１までのスクロールバーＢａの長さ方向に沿った長さＬ１（図５参照）を求め、この長さＬ１に対して予め対応付けられているスクロールの速度（スクロール処理において部分信号波形Ｗ２をスクロール表示させる際のスクロールの速度）を特定する。この波形表示装置１では、一例として、長さＬ１が長ければ長いほどスクロールの速度として速い速度が対応付けられ、長さＬ１が短ければ短いほどスクロールの速度として遅い速度が対応付けられている。次いで、制御部１５は、上記のようにして特定したスクロールの向き、およびスクロールの速度で部分信号波形Ｗ２をスクロール表示させるスクロール処理を開始する。
【００３６】
また、制御部１５は、図５に示すように、部分信号波形Ｗ２のスクロール表示に連動させて、スクロールボックスＢｂをスクロールバーＢａ内においてスライド表示（移動）させる。この場合、制御部１５は、ドラッグ操作の向き（この例では同図に示す矢印Ａの向き）と同じ向きにスクロールボックスＢｂをスライド表示させる。ここで、スクロールボックスＢｂは、表示部１３に表示させている部分信号波形Ｗ２が全体信号波形Ｗ１の中のどの部分に相当するかを示すインジケータとして機能する。このため、スクロールバーＢａ内におけるスクロールボックスＢｂの位置を参照することで、全体信号波形Ｗ１の中のどの部分が部分信号波形Ｗ２として表示部１３に表示されているかを一目で認識することが可能となっている。
【００３７】
次に、スクロール表示を停止（終了）させるときには、第２位置Ｐｓ１から指先５０を離反させて押圧操作を終了する。この際に、制御部１５は、部分信号波形Ｗ２のスクロール表示を終了させる旨の指示内容を特定し、スクロール処理を停止する。このように、制御部１５は、第２位置Ｐｓ１において押圧操作が行われている間だけスクロール処理を実行し、第２位置Ｐｓ１における押圧操作が終了したときにスクロール処理を停止する。
【００３８】
なお、制御部１５は、第２位置Ｐｓ１における押圧操作が継続されて、全体信号波形Ｗ１における最後の部分に相当する部分信号波形Ｗ２を表示部１３に表示させるまでスクロール表示を継続したとき、つまり、スクロールボックスＢｂがスクロールバーＢａの端部に移動するまでスクロールボックスＢｂをスライド表示させたときには、その時点において押圧操作が継続されていたとしても、スクロール処理を停止する。
【００３９】
次に、上記したスクロール表示におけるスクロールの向きとは逆向きに部分信号波形Ｗ２をスクロール表示させるときには、図６に示すように、タッチパネル２８におけるスクロールボックスＢｂ内の任意の第１位置Ｐｆ２から、第１位置Ｐｆ２の左側に位置する第２位置Ｐｓ２までへのスクロールバーＢａの長さ方向に沿ったドラッグ操作を行う。続いて、第２位置Ｐｓ２において指先５０での押圧操作を継続して行う。
【００４０】
この際に、制御部１５は、操作部１４から出力される操作信号Ｓｏに基づいて上記の操作が行われたことを特定し、これに基づいてスクロール処理を実行する指示内容を特定する。また、制御部１５は、図６に示すように、第１位置Ｐｆ２から第２位置Ｐｓ２に向かう矢印Ｂの向き（スクロールバーＢａにおける右端部側から左右端部側に向かう向き）を特定して、この向きに対して予め対応付けられたスクロールの向きとして矢印Ａの向きを決定する。また、制御部１５は、第１位置Ｐｆ２から第２位置Ｐｓ２までのスクロールバーＢａの長さ方向に沿った長さＬ２を求め、この長さＬ２に対して予め対応付けられているスクロールの速度を特定する。続いて、制御部１５は、上記のようにして特定したスクロールの向き、およびスクロールの速度で部分信号波形Ｗ２をスクロール表示させるスクロール処理を開始する。次に、スクロール表示を停止（終了）させるときには、上記と同様にして、第２位置Ｐｓ２から指先５０を離反させて押圧操作を終了する。
【００４１】
一方、図７に示すように、ポインティング操作としての第１位置Ｐｆ３から第２位置Ｐｓ３までへのドラッグ操作に続いて、ポインティング操作としての第２位置Ｐｓ３からスクロールバーＢａ外における任意の第３位置Ｐｔ１までへのドラッグ操作が行われた後に、第３位置Ｐｔ１において押圧操作が終了した（タッチパネル２８から指先５０が離反された）ときには、制御部１５は、スクロール処理（この例では、同図に示す矢印Ｂの向きに部分信号波形Ｗ２をスクロール表示させるスクロール処理）を継続して実行する。また、制御部１５は、このようなポインティング操作に応じてスクロール処理を継続している状態において、図８に示すように、タッチパネル２８における任意の位置、つまり表示部１３における任意の位置（例えば、同図に示す位置Ｐｏ）において押圧操作が行われたときには、スクロール処理を停止する。
【００４２】
この場合、制御部１５がこのような処理を行うことにより、押圧操作を終了した後においても（つまり、操作部１４に対する操作を行うことなく）、スクロール表示が継続される。したがって、例えば、部分信号波形Ｗ２をスクロール表示させつつその部分信号波形Ｗ２を観察する際に、両手を自由に使える状態となる結果、このような使用形態における利便性を十分に向上させることが可能となっている。
【００４３】
このように、この波形表示装置１および波形表示方法では、スクロールバーＢａ内における第１位置Ｐｆ１から第２位置Ｐｓ１までへのスクロールバーＢａの長さ方向に沿ったドラッグ操作がポインティング操作として行われ、続いて第２位置Ｐｓ１において押圧操作がポインティング操作として継続して行われたときに、その押圧操作が行われている間だけスクロール処理を実行し、押圧操作が終了したときにスクロール処理を停止する。このため、この波形表示装置１および波形表示方法では、表示部１３の表示画面内に表示させる部分信号波形Ｗ２の長さ（一画面分の部分信号波形Ｗ２の時間長）が全体信号波形Ｗ１の長さ（時間長）に比べて短く、スクロールボックスＢｂを僅かにドラッグさせただけで部分信号波形Ｗ２が大きくスクロール表示される従来の波形表示装置とは異なり、スクロールバーＢａ内でスクロールボックスＢｂを継続してドラッグさせることなく、第２位置Ｐｓ１における押圧操作を継続させるだけで、その押圧操作を継続している間だけスクロール表示を継続させることができる。したがって、この波形表示装置１および波形表示方法によれば、スクロールバーＢａに対するポインティング操作によって部分信号波形Ｗ２をスクロール表示させて、時間長が長い全体信号波形Ｗ１の中から、所望の部分（部分信号波形Ｗ２）を探すような使用形態における操作性を十分に向上させることができる。
【００４４】
また、この波形表示装置１および波形表示方法では、ポインティング操作としての第１位置Ｐｆ３から第２位置Ｐｓ３までへのドラッグ操作に続いて、ポインティング操作としての第２位置Ｐｓ３からスクロールバーＢａ外における任意の第３位置Ｐｔ１までへのドラッグ操作が行われた後に、第３位置Ｐｔ１において押圧操作が終了したときには、スクロール処理を継続して実行する。したがって、この波形表示装置１および波形表示方法では、操作部１４に対する操作を行うことなく、スクロール表示を継続させることができるため、例えば、部分信号波形Ｗ２をスクロール表示させつつその部分信号波形Ｗ２を観察する際に、両手を自由に使える状態となる結果、このような使用形態における利便性を十分に向上させることができる。また、スクロール処理を継続している状態で表示部１３の表示画面内における任意の位置Ｐｏにおいて押圧操作が行われたときにはスクロール処理を停止する。したがって、この波形表示装置１および波形表示方法では、スクロールバーＢａを目がけて指先５０を押圧操作する必要がないため、確実かつ容易にスクロール表示を停止させることができる。
【００４５】
また、この波形表示装置１および波形表示方法によれば、ドラッグ操作が行われたときに、第１位置Ｐｆ１から第２位置Ｐｓ１に向かう向きに対して予め対応付けられているスクロールの向きでスクロール処理を実行することにより、第１位置Ｐｆ１から第２位置Ｐｓ１に向かう向きを変更してドラッグ操作を行うだけで、時間が経過する向き、および時間が遡る向きのいずれの向きにも部分信号波形Ｗ２をスクロール表示させることができる結果、全体信号波形Ｗ１の中の所望の部分を探し出す際の操作性をさらに向上させることができる。
【００４６】
また、この波形表示装置１および波形表示方法では、第１位置Ｐｆ１から第２位置Ｐｓ１までへのドラッグ操作におけるスクロールバーＢａの長さ方向に沿った第１位置Ｐｆ１から第２位置Ｐｓ１までの長さＬ１に対して予め対応付けられている速度でスクロール処理を実行する。このため、この波形表示装置１および波形表示方法によれば、例えば、長さＬ１が長ければ長いほどスクロールの速度として速い速度を対応付け、長さＬ１が短ければ短いほどスクロールの速度として遅い速度を対応付けたときには、部分信号波形Ｗ２のスクロール表示を行わせて、長時間に亘る全体信号波形Ｗ１の中の所望の部分を探し出す際に、第１位置Ｐｆ１から第２位置Ｐｓ１までの長さが長くなるようにドラッグ操作を行って部分信号波形Ｗ２を高速でスクロール表示させることで、その所望の部分を素早く探し出すことができる。また、スクロール表示を行わせつつ部分信号波形Ｗ２を観察する際には、第１位置Ｐｆ１から第２位置Ｐｓ１までの長さが短くなるようにドラッグ操作を行って部分信号波形Ｗ２を低速でスクロール表示させることで、部分信号波形Ｗ２の細部まで詳細に観察することができる。したがって、この波形表示装置１および波形表示方法によれば、このような使用形態における利便性を十分に向上させることができる。
【００４７】
また、この波形表示装置１および波形表示方法によれば、表示部１３に表示させている部分信号波形Ｗ２が全体信号波形Ｗ１の中のどの部分に相当するかを示すスクロールボックスＢｂをスクロールバーＢａ内に表示させ、スクロール処理において部分信号波形Ｗ２のスクロール表示に連動させてスクロールボックスＢｂをスクロールバーＢａ内においてスライド表示させることにより、全体信号波形Ｗ１の中のどの部分が部分信号波形Ｗ２として表示されているかを一目で認識することができるため、全体信号波形Ｗ１の中の所望の部分を探す際の利便性を十分に向上させることができる。
【００４８】
また、この波形表示装置１および波形表示方法によれば、表示部１３の表示面に配設された光透過性を有するタッチパネル２８を備えてポインティング操作部を構成したことにより、タッチパネル２８におけるスクロールバーＢａの画像に対向する部分に対する指先５０やタッチペンによるタッチ操作によってポインティング操作を行うことができるため、操作性をさらに向上させることができる。
【００４９】
なお、波形表示装置および波形表示方法は、上記の構成および方法に限定されない。例えば、タッチパネル２８を表示部１３に配設した構成例について上記したが、例えば、表示部１３の配設位置から離間した位置にタッチパネル２８を配設する構成を採用することもできる。また、波形表示装置１とは別体のタッチパネル２８を備えた構成を採用することもできる。この場合、波形表示装置１とは別体のタッチパネル２８を備えているときには、表示部１３を別体とした構成や、表示部１３を備えていない（つまり、外部の表示部に信号波形Ｗの表示を行わせる）構成を採用することもできる。また、タッチパネル２８に対する指先５０でのタッチ操作によってポインティング操作を行う例について上記したが、タッチパネル２８に対するタッチペンを用いたタッチ操作によってポインティング操作を行う構成および方法を採用することもできる。
【００５０】
また、マウスなどのタッチパネル２８以外のポインティング操作部を用いて上記した各ポインティング操作を行い、このポインティング操作に応じて制御部１５が上記したスクロール処理を実行する構成および方法を採用することもできる。
【００５１】
また、電気信号Ｓｅとしての電圧信号の信号波形Ｗを表示する例について上記したが、電流信号や、温度を示す電気信号など、各種の電気信号Ｓｅの波形を表示する際に適用することができるのは勿論である。また、１つ（１種類）の信号波形Ｗだけを表示部１３に描画する例について上記したが、２つ（２種類）以上の信号波形Ｗを表示部１３に同時に描画する構成を採用することもできる。
【符号の説明】
【００５２】
１  波形表示装置
１３  表示部
１４  操作部
１５  制御部
２８  タッチパネル
Ｂａ  スクロールバー
Ｂｂ  スクロールボックス
Ｌ１  長さ
Ｌ２  長さ
Ｐｆ１〜Ｐｆ３  第１位置
Ｐｏ  位置
Ｐｓ１〜Ｐｓ３  第２位置
Ｐｔ１  第３位置
Ｗ  信号波形
Ｗ１  全体信号波形
Ｗ２  部分信号波形
【図１】
0005749038.tif 000002
【図２】
0005749038.tif 000003
【図３】
0005749038.tif 000004
【図４】
0005749038.tif 000005
【図５】
0005749038.tif 000006
【図６】
0005749038.tif 000007
【図７】
0005749038.tif 000008
【図８】
0005749038.tif 000009